(57)【要約】【課題】  異常放電成分と静電気放電成分とを区別することで、信頼性の高い保護回路を備えた放電管点灯装置を提供する。【解決手段】  トランスＴＲの出力電流を検出する電流検出回路１６と、この出力電流に含まれる異常放電成分を検出する異常放電検出回路３２と、該異常放電検出回路３２の出力を計数するカウンタ回路３４とを設け、該カウンタ回路３４が所定の期間内に計数した結果に基づいて、点灯制御回路１２の制御を停止させることで、誤動作の少ない保護回路を提供する。【選択図】  図１
2006073373.tif 000002
【特許請求の範囲】
【請求項１】
高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、
前記保護回路は、
前記高圧ラインに発生した異常放電を検出する異常放電検出回路と、
前記異常放電検出回路の出力を計数するカウンタと、
を具備するすることを特徴とする放電管点灯装置。
【請求項２】
高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、
前記保護回路は、
前記高圧ラインに発生した異常放電を検出する異常放電検出回路と、
前記異常放電検出回路の出力を計数するカウンタと、
前記点灯制御部の内部で使用される周期信号を用いて前記カウンタのリセット信号を生成するリセット信号生成回路と
を具備するすることを特徴とする放電管点灯装置。
【請求項３】
前記周期信号は、前記スイッチング素子の制御基準となるクロック信号または前記放電管の輝度制御に用いられる調光信号であることを特徴とする請求項２記載の放電管点灯装置。
【請求項４】
高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、
前記保護回路は、
前記高圧ラインに発生した異常放電を検出する異常放電検出回路と、
前記異常放電検出回路の出力を計数する同期式カウンタと、
前記点灯制御部の内部で使用される周期信号を用いて前記同期式カウンタのクロック信号を生成するクロック信号生成回路と
を具備するすることを特徴とする放電管点灯装置。
【請求項５】
前記周期信号は、前記スイッチング素子の制御基準となるクロック信号または前記放電管の輝度制御に用いられる調光信号であることを特徴とする請求項４記載の放電管点灯装置。
【請求項６】
高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、
前記保護回路は、
前記高圧ラインに発生した異常放電を検出する異常放電検出回路と、
前記異常放電検出回路の出力を計数するカウンタとを具備し、
前記異常放電検出回路は、
前記高圧ラインに発生したインパルス成分を抽出するインパルス検出回路と、
前記インパルス成分を所定の幅を有したパルス信号に変換するパルス変換回路と
を具備することを特徴とする放電管点灯装置。
【請求項７】
前記異常放電検出回路は、前記インパルス検出回路または前記パルス変換回路の出力を所定の閾値と比較して、該閾値以上の信号を出力するピーク判定回路をさらに具備することを特徴とする請求項６記載の放電管点灯装置。
【請求項８】
高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、
前記保護回路は、
前記高圧ラインに発生した異常放電を検出する異常放電検出回路と、
前記検出した異常放電の周期を判定する周期判定回路と
を具備することを特徴とする放電管点灯装置。
【発明の詳細な説明】
【技術分野】
【０００１】
この発明は、放電管点灯装置に関し、特に、異常放電の検出に有効な放電管点灯装置に関する。
【背景技術】
【０００２】
高圧の発生により放電管を点灯させる放電管点灯装置では、トランスや放電管の接触不良によって異常放電が発生する場合がある。この種の異常放電は、発煙や発火に至る恐れがあるため、異常放電が発生した場合には、点灯動作を停止させる必要がある。
【０００３】
ここで、異常放電を検出して動作停止を行う手法としては、例えば下記の文献に示されたものが知られている。
【特許文献１】特開昭５５−１６６６６２号公報
【特許文献２】特許第３１２３１６１号公報
【特許文献３】特開２００２−１５１２８７号公報  特許文献１には、同文献の第２図および第３図に記載されたように、過電流検出回路とカウンタを用いることで、１個の偶発的なアーク放電による誤停止を防止する手法が開示されており、特許文献２には、同文献の図１に記載されたように、コンデンサを用いて放電成分を検出する手法が開示されており、特許文献３には、同文献の図２に記載されたように、ハイパスフィルタを用いて放電成分を検出する手法が開示されている。
【発明の開示】
【発明が解決しようとする課題】
【０００４】
しかし、特許文献１に示された手法では、過電流の判定基準よりも小さな異常放電についてはカウントされず、また、カウンタをどのタイミングでリセットするかについての検討がなされていないため、異常放電成分とノイズ成分とを精度良く区別することが困難である。
【０００５】
また、特許文献２および３に示された手法では、異常放電以外のノイズ成分、例えば、静電気放電が発生した場合でも、このノイズ成分は、コンデンサやハイパスフィルタを通過するため、本来停止させるべきではない状況下でも動作停止に至る可能性があるという課題があった。
【０００６】
そこで、本発明は、異常放電とノイズとの区別に有効な手法を提供する。
【課題を解決するための手段】
【０００７】
上記目的を達成するため、本発明の第１の手段は、高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、前記保護回路は、前記高圧ラインに発生した異常放電を検出する異常放電検出回路と、前記異常放電検出回路の出力を計数するカウンタとを具備するすることを特徴とする。
【０００８】
このように、異常放電検出回路の出力をカウントすることで、レベルの低い異常放電成分とノイズ成分であってもカウントによる比較が可能になるため、より精度の高い保護動作を得ることができる。
【０００９】
また、本発明の第２の手段は、高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、前記保護回路は、前記高圧ラインに発生した異常放電を検出する異常放電検出回路と、前記異常放電検出回路の出力を計数するカウンタと、前記点灯制御部の内部で使用される周期信号を用いて前記カウンタのリセット信号を生成するリセット信号生成回路とを具備するすることを特徴とする。
【００１０】
このように、点灯制御部が用いる内部信号を利用してカウンタのリセット信号を生成することにより、内部信号を併用したリセットタイミングの生成が可能となる。その結果、リセットされるまでのカウンタの計数結果に基づいて、異常放電とノイズとを区別することが可能となり、より精度の高い保護動作を得ることができる。
【００１１】
ここで、後述するように、異常放電は、放電管に流れる電流が極性反転する回数と同等の頻度で発生するのに対し、ノイズ成分の発生頻度は非常に少ないため、放電管に流れる電流の周期よりも十分長い期間、望ましくは１秒程度の発生頻度を比較することで、これらを好適に判別することができる。
【００１２】
よって、前記周期信号としては、前記スイッチング素子の制御基準となるクロック信号または前記放電管の輝度制御に用いられる調光信号を分周等の手段により長周期化して利用することが可能である。特に、調光信号には、２００Ｈｚ程度の長周期の信号が用いられるため、そのままリセット信号として利用しても異常放電とノイズとの区別が可能な計数期間を確保することができる。
【００１３】
また、本発明の第３の手段は、高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、前記保護回路は、前記高圧ラインに発生した異常放電を検出する異常放電検出回路と、前記異常放電検出回路の出力を計数する同期式カウンタと、前記点灯制御部の内部で使用される周期信号を用いて前記同期式カウンタのクロック信号を生成するクロック信号生成回路とを具備するすることを特徴とする。
【００１４】
このように、点灯制御部が用いる内部信号をカウンタの基準クロック信号として利用することにより、同期式カウンタを用いた判定が可能になる。ここで、異常放電は、後述するように、放電管に流れる電流の周期と同等の周期で発生するため、同期式カウンタの計数タイミングは、この電流周期よりも長い周期で行うことが可能である。
【００１５】
よって、前記周期信号としては、前記スイッチング素子の制御基準となるクロック信号または前記放電管の輝度制御に用いられる調光信号を利用することが可能であり、特に、スイッチングクロックは、放電管に流れる電流と同じ周期を有するため、同期式カウンタの基準クロックとしてそのまま利用しても十分な計数タイミングを得ることができる。
【００１６】
また、本発明の第４の手段は、高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、前記保護回路は、前記高圧ラインに発生した異常放電を検出する異常放電検出回路と、前記異常放電検出回路の出力を計数するカウンタとを具備し、前記異常放電検出回路は、前記高圧ラインに発生したインパルス成分を抽出するインパルス検出回路と、前記インパルス成分を所定の幅を有したパルス信号に変換するパルス変換回路とを具備することを特徴とする。
【００１７】
このように、インパルス成分を所定の幅を有したパルス信号に変換することで、カウンタ回路に対して計数容易な信号を与えることが可能になり、その結果、より精度の高い異常放電とノイズとの区別が可能となる。
【００１８】
望ましくは、前記インパルス検出回路または前記パルス変換回路の出力を所定の閾値と比較して、該閾値以上の信号を出力するピーク判定回路をさらに設けることで、誤動作の防止を図る。
【００１９】
また、本発明の第５の手段は、高圧トランスの２次側に形成された高圧ラインと、該高圧ラインに接続された放電管と、前記高圧トランスの１次側に設けられたスイッチング素子を制御することで前記放電管の点灯制御を行う点灯制御部と、前記高圧ラインの異常を検出して前記点灯制御部に点灯動作の停止を指示する保護回路とを備えた放電管点灯装置において、前記保護回路は、前記高圧ラインに発生した異常放電を検出する異常放電検出回路と、前記検出した異常放電の周期を判定する周期判定回路とを具備することを特徴とする。
【００２０】
ここで、後述するように、異常放電は、放電管に流れる電流の周期に同期した形で発生するのに対し、ノイズ成分は不規則に発生するため、検出した異常放電の周期を判定するすることでも異常放電とノイズとの区別が可能である。
【００２１】
異常放電の周期を判定する手法としては、検出した信号の周波数を周波数カウンタを用いて計測する方法や、異常放電が特定の周期で得られることが予め分かっている場合には、当該周期の信号のみを抽出するバンドパスフィルタを用いてノイズ成分のインパルス信号と分離する方法が採用可能である。
【発明の効果】
【００２２】
以上説明したように、本発明によれば、異常放電成分とノイズ成分の区別に有効な放電管点灯装置が提供できる。
【発明を実施するための最良の形態】
【００２３】
以下、本発明に係る放電管点灯装置を添付図面を参照して詳細に説明する。尚、本発明は、以下説明する実施形態に限らず適宜変更可能である。
【００２４】
図１は、本発明の一実施形態に係る放電管点灯装置の構成を示す回路ブロック図である。同図に示す放電管点灯装置は、複数の放電管を点灯させるフルブリッジ型のインバータユニットを例示したものであり、複数の放電管に対して制御回路とトランスを１つずつ設けた多灯制御構成を有する。
【００２５】
同図に示すように、直流電源１０がスイッチング素子ＳＷ１〜ＳＷ４で構成されたフルブリッジ回路に接続され、このフルブリッジ回路の後段にコンデンサＣを介してトランスＴＲが接続されて、該トランスＴＲの２次側から高圧電力を出力するインバータ回路が構成される。このトランスＴＲの２次側から後段が高圧ラインとなる。尚、トランスＴＲの２次側に接続され、制御回路に帰還されるラインも便宜上、高圧ラインと称す。また、インバータ回路の構成や動作は、周知の技術であるため、本実施形態では説明を省略する。
【００２６】
インバータ回路の後段には、２０本の放電管１４−１〜１４−２０が高圧ラインに対して並列に接続され、トランスＴＲの２次側巻線とＧＮＤ間には、高圧ラインを流れる電流量を検出する電流検出回路１６と、高圧ラインに印加された電圧値を検出する電圧検出回路１８とがそれぞれ配置される。
【００２７】
放電管１４−１〜１４−２０とＧＮＤ間には、各放電管の合計電流量を検出する管電流検出回路２０が配置され、この管電流検出回路２０の検出結果が制御回路１２に出力される。制御回路１２は、管電流検出回路２０の出力に基づいて、スイッチング素子ＳＷ１〜ＳＷ４を制御し、放電管１４−１〜１４−２０に流れる電流を一定に維持する定電流フィードバック制御を行う。
【００２８】
制御回路１２は、さらに、電流検出回路１６の検出結果を内部に取り込んで所定の基準値と比較し、検出結果が基準値を超えた場合には過電流保護を行うとともに、電圧検出回路１８の検出結果を内部に取り込んで所定の基準値と比較し、検出結果が基準値を超えた場合には過電圧保護を行う。
【００２９】
制御回路１２は、上記過電流保護および過電圧保護に加えて、保護回路２２による異常放電検出時の保護動作を実行する。この保護回路２２は、高圧ラインに発生した異常放電成分を検出する異常放電検出回路３２と、該異常放電検出回路３２の出力を計数するカウンタ回路３４とで構成され、このカウンタ回路３４の計数結果を利用してノイズ成分には反応せずに異常放電のみに反応する保護回路を提供する。尚、保護回路２２は、管電流検出回路２０の出力に接続しても良い。
【００３０】
図２は、高圧ラインに発生する放電成分と静電気成分の様子を示す特性図である。同図（ａ）に示すように、高圧ラインに放電成分が発生した場合は、管電流５０に異常放電成分５２が周期的に重畳した電流波形が得られ、同図（ｂ）に示すように、高圧ラインに静電気成分が発生した場合は、管電流５０に静電気成分５４が瞬間的に重畳した電流波形が得らる。
【００３１】
これらのグラフが示すように、異常放電成分の重畳は、ピークの小さなインパルス成分の周期的な重畳となり、静電気成分の重畳は、ピークの大きなインパルス成分の単発的な重畳となる。さらに、異常放電成分は、高圧ラインに流れる交流電流の極性反転に対応して発生する傾向にあるのに対し、静電気成分は、外部要因によって発生することが多く不規則に重畳する傾向にある。よって、これらの性質を利用した放電成分と静電気成分の区別が有効と考えられる。
【００３２】
図３は、図１に示した保護回路および点灯制御回路の一構成例を示す回路図である。同図に示す構成は、点灯制御回路１２の内部で用いられるスイッチングクロックを利用してカウンタ回路３４のリセットタイミングを決定する例である。
【００３３】
この構成において、異常放電検出回路３２は、異常放電成分を抽出するハイパスフィルタ６８と、該ハイパスフィルタから出力される信号のうち、所定の閾値以上のレベルを有する信号を検出してカウンタ回路３４に出力するピーク判定回路７０とで構成され、このピーク判定回路７０の出力パルスをカウンタ回路３４で計数することにより、異常放電の発生が判定可能な構成とする。
【００３４】
点灯制御回路１２は、図１に示した放電管に流れる電流を所定の基準値と比較して定電流制御用の誤差信号を出力するエラーアンプ６０と、所定周波数、例えば６０ｋＨｚのスイッチングクロックを利用して三角波を生成し、この三角波とエラーアンプ６０の出力を比較してＰＷＭ信号を生成するＰＷＭコンパレータ６２と、このＰＷＭ信号に対して十分長い周期、例えば２００Ｈｚの調光信号を生成するバースト調光回路６６と、ＰＷＭ信号と調光信号との論理積を取るゲート回路３０とで構成される。
【００３５】
カウンタ回路３４の計数結果は、デコーダ３５に出力され、このデコーダ３５はカウンタ回路３４から所定の計数結果、例えば、３万回が出力されると、Ｌｏｗレベルの信号をゲート回路３０に出力し、ＰＷＭ信号にマスクをかける。その結果、点灯制御回路１２による放電管の制御が停止し、動作停止状態となる。
【００３６】
一方、カウンタ回路３４のリセット端子には、リセットパルス生成回路７２から出力されるリセット信号が入力され、このリセット信号がカウンタ回路３４に入力されると、計数結果が０にリセットされる。
【００３７】
リセットパルス生成回路７２は、三角波生成回路６４で使用される６０ｋＨｚのクロック信号を例えば１／Ｍに分周して、１秒程度の幅を有するパルス信号を生成し、このパルス信号をリセット信号としてカウンタ回路３４に出力する。
【００３８】
図４は、図３に示した保護回路および点灯制御回路による制御動作例を示したタイミングチャートである。同図（ａ）に示すように、放電管に流れる管電流に異常放電が発生すると、６０ｋＨｚの交流信号の各所に異常放電によるインパルス信号が重畳した信号となる。
【００３９】
そして、同図（ｂ）に示すように、図３に示したハイパスフィルタ６８によって、６０ｋＨｚの交流信号に重畳したインパルス成分が抽出され、同図（ｃ）に示すように、図３に示したカウンタ回路３４によって、このインパルス成分が「１、２、３、・・・３００００」と順次カウントされる。
【００４０】
一方、図３に示したリセットパルス生成回路７２によって、図３に示した三角波生成回路６４で用いられる同図（ｄ）に示したクロック信号ＣＬＫから、同図（ｅ）に示した分周パルスが生成され、この分周パルスを反転して同図（ｆ）に示すリセットパルスが生成される。その結果、このリセットパルスが立上るタイミングでカウンタ回路３４の計数値がリセットされる。
【００４１】
図５は、図３に示した回路構成の変形例を示す回路図である。同図に示す構成は、点灯制御回路１２の内部で用いられる調光信号を利用してカウンタ回路３４のリセットタイミングを決定する例である。
【００４２】
同図に示すように、調光信号を利用してリセット信号を生成する場合には、バースト調光回路６６で用いられる２００Ｈｚの基準クロックを１／Ｎに分周して１秒程度の幅を有するリセットパルスを生成し、このリセットパルスをカウンタ回路３４のリセット端子に入力する。その他の構成は、図３に示した構成と同様である。
【００４３】
ここで、調光回路６６で用いられる基準クロックは、異常放電が発生する周期に比べて十分長いため、１／Ｎの分周は行わずに、そのままカウンタ３４のリセット信号として用いても良い。
【００４４】
図６は、図３に示したカウンタに同期式カウンタを用いた場合の構成例を示す回路図である。同図に示すように、図３に示したカウンタに同期式カウンタを用いる場合には、三角波発生回路６４で用いる６０ｋＨｚのクロック信号を同期式カウンタ３４のクロック端子に入力する構成とする。
【００４５】
尚、三角波発生回路６４で用いるクロック信号のパルス幅が短すぎるために、異常放電の検出が困難となる場合には、異常放電の発生を確実に捕獲できる長さ、例えば、２〜３倍の幅やクロック信号の２周期分に延長して使用しても良い。
【００４６】
図７は、図５に示したカウンタに同期式カウンタを用いた場合の構成例を示す回路図である。同図に示すように、図５に示したカウンタに同期式カウンタを用いる場合には、バースト調光回路６６で用いる２００Ｈｚのクロック信号を同期式カウンタ３４のクロック端子に入力する構成とする。
【００４７】
尚、バースト調光回路６６で用いるクロック信号の周期が長すぎるために計数頻度が低下し、その結果、異常放電とノイズ成分との区別が困難となる場合には、６０ｋＨｚ〜１２０ｋＨｚ程度の異常放電の発生頻度に対応させた周波数に逓倍して使用しても良い。
【００４８】
図８は、図１に示した異常放電検出回路の別の構成例を示す回路図である。同図に示す異常放電検出回路３２は、ハイパスフィルタ６８が出力したインパルス信号をＣＲで決まる幅を有するパルス信号に変換するモノマルチ回路７４を具備し、このモノマルチ回路７４によりパルス表現された異常放電信号のレベルがピーク判定回路７０で判定される。
【００４９】
このようにモノマルチ回路７４をピーク判定回路７０の前段に設けることで、該ピーク判定回路を低速のコンパレータで構成することが可能となる。また、異常放電検出回路３２にピーク判定回路７０を設けない場合であっても、モノマルチ回路７４をカウンタ回路３４の前段に設けることで、インパルス信号の計数が可能な高価なカウンタではなく、パルス信号の計数が可能な汎用カウンタを使用することができる。
【００５０】
図９は、図１に示した異常放電検出回路の他の構成例を示す回路図である。同図に示す異常放電検出回路３２は、高圧ラインの電流成分をインダクタＬとコンデンサＣとで構成されるローパスフィルタを通すことで、異常放電成分を含まない低周波信号を生成し、この低周波信号と高圧ラインの電流成分とを比較器７６で比較することで、異常放電成分を検出する構成を有する。
【００５１】
図１０は、図１に示した異常放電検出回路の他の構成例を示す回路図である。同図に示すように、異常放電検出回路３２は、デジタルフィルタ７８を用いて構成することもできる。
【００５２】
図１１は、図１に示したリセットパルス生成回路７２の別の構成例を示す回路ブロック図である。同図に示すリセットパルス生成回路７２は、マスク時間を設定してリセットをかける場合の構成例である。
【００５３】
このリセットパルス生成回路７２は、モノマルチ回路７４とＡＮＤ演算器７５とで構成され、異常放電検出回路３２の出力は、カウンタ３４のＩＮ端子とモノマルチ回路７４とに入力される。モノマルチ回路７４は、異常判定に十分な時間Ｔの幅を有するマスクパルスを生成し、この生成したマスクパルスをＡＮＤ演算器７５に出力する。尚、マスクパルスを生成するための回路は、同図に示したようなモノマルチ回路でも第二のカウンタでも良い。
【００５４】
ＡＮＤ演算器７５には、モノマルチ回路からのマスクパルスとクロック信号ＣＬＫまたは該クロック信号を分周した信号とが入力され、モノマルチ回路７４が出力するマスクパルスの極性は、通常時がＨｉレベル、マスク時がＬｏｗレベルに設定されるため、通常時は、リセット信号がＡＮＤ演算器７５を素通りで出力され、定期的にカウンタ３４がリセットされる構成となる。
【００５５】
ここで、異常放電検出回路３２から異常放電パルスが出力されると、カウンタ３４がカウントを始めるとともに、ＡＮＤ演算器７５によって時間Ｔの間だけリセット信号がブロックされる。その結果、カウンタ３４によるカウント値が規定数に達した場合には異常放電と判定し、達しなかった場合にはその他のノイズと判定し、リセット信号を再び素通しする。
【００５６】
図１２は、図１に示した保護回路の他の構成例を示す回路図である。同図に示すように、保護回路２２は、異常放電検出回路３２が出力した信号の周期を判定する周期判定回路３６を用いて構成しても良い。この構成では、異常放電成分が周期的に発生するのに対して、ノイズ成分が不規則に発生する現象を利用して、両者の区別が行われる。
【００５７】
よって、同図に示した周期判定回路には、予め実験等によって取得した異常放電成分に特有の周期情報を格納しておき、この周期情報を基準として異常放電検出回路３２で検出された信号が異常放電によるものか他のノイズによるものかを判定すれば良い。
【産業上の利用可能性】
【００５８】
本発明によれば、異常放電成分とノイズ成分との区別が可能になるため、静電気の影響を受けやすい機器への適用が期待される。
【図面の簡単な説明】
【００５９】
【図１】本発明の一実施形態に係る放電管点灯装置の構成を示す回路ブロック図である。
【図２】高圧ラインに発生する放電成分と静電気成分の様子を示す特性図である。
【図３】図１に示した保護回路および点灯制御回路の一構成例を示す回路図である。
【図４】図３に示した保護回路および点灯制御回路による制御動作例を示したタイミングチャートである。
【図５】図３に示した回路構成の変形例を示す回路図である。
【図６】図３に示したカウンタに同期式カウンタを用いた場合の構成例を示す回路図である。
【図７】図５に示したカウンタに同期式カウンタを用いた場合の構成例を示す回路図である。
【図８】図１に示した異常放電検出回路の別の構成例を示す回路図である。
【図９】図１に示した異常放電検出回路の他の構成例を示す回路図である。
【図１０】図１に示した異常放電検出回路の他の構成例を示す回路図である。
【図１１】図１に示したリセットパルス生成回路７２の別の構成例を示す回路ブロック図である。
【図１２】図１に示した保護回路の他の構成例を示す回路図である。
【符号の説明】
【００６０】
１０…直流電源、１２…制御回路、１４…放電管、１６…電流検出回路、１８…電圧検出回路、２０…管電流検出回路、２２…保護回路、３０…ゲート回路、３２…異常放電検出回路、３４…カウンタ回路、３５…デコーダ、３６…周期判定回路、５０…管電流、５２…異常放電成分、５４…静電気成分、６０…エラーアンプ、６２…ＰＷＭコンパレータ、６４…三角波生成回路、６６…バースト調光回路、６８…ハイパスフィルタ、７０…ピーク判定回路、７２…リセットパルス生成回路、７４…モノマルチ回路、７５…ＡＮＤ演算器、７６…比較器、７８…デジタルフィルタ
【図１】
2006073373.tif 000003
【図２】
2006073373.tif 000004
【図３】
2006073373.tif 000005
【図４】
2006073373.tif 000006
【図５】
2006073373.tif 000007
【図６】
2006073373.tif 000008
【図７】
2006073373.tif 000009
【図８】
2006073373.tif 000010
【図９】
2006073373.tif 000011
【図１０】
2006073373.tif 000012
【図１１】
2006073373.tif 000013
【図１２】
2006073373.tif 000014